(57)【特許請求の範囲】
【請求項１】
フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の表示方法であって、前記複数のスイッチの中から１つのスイッチを押すことにより、前記スイッチに対応した設定パネルに、該当フェーダが所属するチャンネルの内容を表示するようにしたことを特徴とするオーディオミキシング装置の設定値の表示方法。
【請求項２】
フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の設定方法であって、前記複数のスイッチの中から１つのスイッチを押すことにより、前記スイッチに対応した設定パネルに該当フェーダが所属するチャンネルの内容を表示するとともに、前記設定パネルを操作することにより、前記該当フェーダが所属するチャンネルの内容の設定を行えるようにしたことを特徴とするオーディオミキシング装置の設定値の設定方法。
【請求項３】
フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の設定方法であって、前記複数のスイッチの中から１つのスイッチを押すことにより、前記スイッチに対応した設定パネルに該当フェーダが所属するチャンネルの内容を表示するとともに、前記複数の設定パネル間の設定値を相互にコピーできるようにしたことを特徴とするオーディオミキシング装置の設定値の設定方法。
【請求項４】
フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の設定方法であって、前記複数のスイッチの中から１つのスイッチを押すことにより、前記スイッチに対応した設定パネルに該当フェーダが所属するチャンネルの内容を表示するとともに、前記複数の設定パネル間の設定値を相互に連動設定できるようにしたオーディオミキシング装置の設定値の設定方法。
【発明の詳細な説明】
【０００１】
【発明の属する技術分野】
本発明は、音響機器、特に音声の調整，混合を行ういわゆるオーディオミキシング装置の設定値の表示・設定方法に関する。
【０００２】
【従来の技術】
図６はオーディオミキシング装置の全体の外観概略図であり、１０１はフェーダ部、１０２はフェーダの詳細設定部である。
【０００３】
図７はフェーダ部の詳細を示す外観概略図であり、１１１はフェーダ、１１２は詳細設定部データを設定するためのアクセススイッチである。
【０００４】
図８は詳細設定部の外観を示す概略図であり、１２１はダイナミクス設定部、１２２はイコライザ設定部、１２３はノッチフィルタ設定部である。
【０００５】
図９は本オーディオミキシング装置のインプット部の概略機能ブロック図であり、１３１はフェーダ、１３２はイコライザ部、１３３はノッチフィルタ部、１３４はダイナミクス部である。
【０００６】
次に上記従来例の動作について説明する。従来のオーディオミキシング装置では、各フェーダ部１０１に備えられているフェーダ１１１を操作することにより、フェーダ１３１が連動して制御され、ミキシングを行う場合の各チャンネルの音量を調整することができるようになっている。
【０００７】
このようなオーディオミキシング装置において、アクセススイッチ１１２を押下すると、各チャンネルに付属した図９に示したような、イコライザ部１３２，ダイナミクス部１３４，ノッチフィルタ部１３３の設定値が、それぞれイコライザ設定部１２２，ダイナミクス設定部１２１及びノッチフィルタ設定部１２３にデータの移動が行われることにより、各チャンネルの詳細が、図８の各設定部にデータの詳細表示部に表示される。
【０００８】
このように上記従来のオーディオミキシング装置でも、限られた表示面積を有した設定パネルでも、ミキシング装置の各チャンネルの詳細設定を確認することができる。
【０００９】
【発明が解決しようとする課題】
しかしながら、前述した従来のオーディオミキシング装置においては、例えば、ステレオソースを始めとした、複数のチャンネル内容の確認を行うような場合、アクセススイッチを押下した上で内容を確認しなければならないという、利便性における困難さを有するという問題を有していた。
【００１０】
本発明は、このような問題点を解決するもので、複数チャンネル間の設定内容の確認及び設定における操作の利便性を向上させた優れたオーディオミキシング装置の設定値の表示・設定方法を提供することを目的とする。
【００１１】
【課題を解決するための手段】
上記課題を解決するために本発明は、フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の表示方法であって、前記複数のスイッチの中から１つのスイッチを押すことにより、前記スイッチに対応した設定パネルに、該当フェーダが所属するチャンネルの内容を表示するものであり、設定パネルにフェーダが所属するチャンネルの内容を表示させることで、複数のチャンネルの設定値の比較を行いつつ、オーディオミキシング装置の設定状態の確認を行え、操作上の利便性が増すという作用を有する。
【００１２】
また、本発明は、フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の設定方法であって、前記複数のスイッチの中から１つのスイッチを押すことにより、前記スイッチに対応した設定パネルに該当フェーダが所属するチャンネルの内容を表示するとともに、前記設定パネルを操作することにより、フェーダが所属するチャンネルの内容の設定を行えるものであり、複数のチャンネルの設定値の比較を行いつつ、片方を参照しながら、設定が行えるという作用を有する。
【００１３】
また、本発明は、フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の設定方法であって、前記複数のスイッチの中から１つのスイッチを押すことにより、前記スイッチに対応した設定パネルに該当フェーダが所属するチャンネルの内容を表示するとともに、前記複数の設定パネル間の設定値を相互にコピーできるようにしたものであり、例えば、ステレオソースのように、複数のチャンネル間のデータの相関性が強い音源を操作する場合に、単一チャンネルの設定を行った後、データのコピーを行うことにより、さらに簡易にデータ設定の利便性を補強できるという作用を有する。
【００１４】
また、本発明は、フェーダモジュールは、フェーダと、複数のスイッチと、チャンネルの選択を行うチャンネル選択手段とから成り、さらに前記複数のスイッチに各々対応した複数の設定パネルを有するオーディオミキシング装置の設定値の設定方法であって、前記複数のスイッチの中から１つのスイッチを押すことにより、前記スイッチに対応した設定パネルに該当フェーダが所属するチャンネルの内容を表示するとともに、前記複数の設定パネル間の設定値を相互に連動設定できるようにしたものであり、例えば、ステレオソースのように、複数のチャンネル間のデータの相関性が強い音源を操作する場合に、連動設定状態を維持することにより、単一チャンネルの設定で複数のデータ設定を、音を出しながら行うことができ、さらに簡易にデータ設定の利便性を補強できるという作用を有する。
【００１５】
【発明の実施の形態】
以下、本発明の実施形態について、図１ないし図５を用いて説明する。
【００１６】
図１は本発明の第１実施形態のオーディオミキシング装置の外観図であり、１１は設定パネルである第１詳細設定部、１２は設定パネルである第２詳細設定部、１３はフェーダ部を示している。
【００１７】
また図２はフェーダ部外観の詳細詳細図であり、このフェーダ部１３は、図１におけるフェーダ部１３の詳細を示したものであり、８個のフェーダモジュール２６ａ〜２６ｈで構成されている。フェーダモジュール２６ａ〜２６ｈは、同じパネルレイアウトを保有しており、さらにフェーダモジュール２６ａ〜２６ｈには、それぞれ第１アクセススイッチ２１、第２アクセススイッチ２２、フェーダ２３、２チャンネル選択ツマミ２４、及びチャンネル選択確定スイッチ２５を保有している。
【００１８】
図３は、第１詳細設定部１１及び第２詳細設定部１２の外観の詳細図であり、３１はＡ／Ｄ設定部、３２はディレイ設定部、３３はダイナミクス設定部、３４はイコライザ設定部、３５はバス送出設定部、３６はチャンネル番号設定部、３７はデータ設定部を示している。
【００１９】
図４は本発明の音声の種々の加工を行う信号処理部の概略ブロック図であり、４１はＡ／Ｄ処理部、４２はインプットパッチ(選択)部、４３はイコライザ部、４４はダイナミクス部／ディレイ部、４５はフェーダ２３に連動するフェーダ、４６はミキシング部を示している。
【００２０】
図５は本発明のハードウェアの概略ブロック図であり、５２はフェーダユニットを示し、このフェーダユニット５２は、フェーダ２３の個数に対応してｎ個設置されている。また、５３は第１チャンネル制御部、そして５４は第２チャンネル制御部、５５はプロセッサ部を示す。
【００２１】
ｎ個のフェーダユニット５２，第１チャンネル制御部５３さらに第２チャンネル制御部５４には同様の制御手段を有しており、これらは、ＣＰＵ５６、Ｉ／Ｏポート部５７、パネルスイッチ及び表示部５８、メモリ部５９、ネットワークインターフェイス部６０により構成されている。また、プロセッサ部５５には、前記フェーダユニットと同様な構成を持つほか、信号処理部６１を有している。この信号処理部６１は、Ａ／Ｄコンバータ、ディジタル・シグナル・プロセッサ、Ｄ／Ａコンバータで構成されており、図４に示すようなオーディオミキシング装置の信号処理を行っている。
【００２２】
また、フェーダユニット５２におけるパネルスイッチ及び表示部５８は、それぞれ図１，図２に示すような、フェーダ２３さらに各種のＬＥＤ及びスイッチで構成される、表示及び設定手段となっている。
【００２３】
さらに、これらのフェーダユニット５２，第１チャンネル制御部５３，第２チャンネル制御部５４、そしてプロセッサ部５５は、それぞれネットワークインターフェイス部６０を介して、共有したネットワーク線を通してデータ通信が行えるようになっている。
【００２４】
次に、以上のように構成されたオーディオミキシング装置の動作について説明する。まず、あるフェーダモジュール２６ａ〜２６ｈにおいて、２チャンネル選択ツマミ２４およびチャンネル選択確定スイッチ２５の操作により、各フェーダモジュール２６ａ〜２６ｈのチャンネル選択操作が行われると、ＣＰＵ５６の作用により、信号処理部６１との論理的なデータの結合が行われる。例えば、フェーダモジュール２６ａにおいて、２チャンネル選択ツマミ２４及びチャンネル選択確定スイッチ２５の操作により、図４に示すインプットチャンネルの第１のチャンネルが選択された場合、フェーダ２３を操作すると、ネットワークインターフェイス部６０を通して信号処理部６１の第１のチャンネルの制御が行われ、その結果、第１のチャンネルの音量の調整が行えるようになる。このとき、第１アクセススイッチ２１を押下すると、押下情報がネットワークインターフェイス部６０を通して、信号処理部６１に与えられる。すると、信号処理部６１は、第１のチャンネルの設定内容を、第１チャンネル制御部５３に対して、ネットワークインターフェイス部６０を通して与える。このデータを受信した第１チャンネル制御部５３は、内部ＣＰＵ５６の作用によりＩ／Ｏポート部５７を通して、パネルスイッチ及び表示部５８にデータを設定する。この結果、図１の第１詳細設定部１１に信号処理部６１の第１のチャンネルの内容が表示されるようになる。なお、この場合、呼び出しを指示した第１アクセススイッチ２１を押下したモジュール２６ａの論理チャンネル番号(この場合は「１」)をチャンネル番号設定部３６に表示するようにしている。
【００２５】
同様に、例えば、フェーダモジュール２６ａにおいて、２チャンネル選択ツマミ２４及びチャンネル選択確定スイッチ２５の操作により、図４に示すインプットチャンネルの第２のチャンネルが選択された場合、フェーダ２３を操作すると、ネットワークインターフェイス部６０を通して信号処理部６１の第２のチャンネルの制御が行われ、その結果、第２のチャンネルの音量の調整が行えるようになる。このとき、第２アクセススイッチ２２を押下すると、押下情報がネットワークインターフェイス部６０を通して、信号処理部６１に与えられる。すると、信号処理部６１は、第２のチャンネルの設定内容を、第２チャンネル制御部５４に対して、ネットワークインターフェイス部６０を通して与える。このデータを受信した第２チャンネル制御部５４は、内部ＣＰＵ５６の作用によりＩ／Ｏポート部５７を通して、パネルスイッチ及び表示部５８にデータを設定する。この結果、図１の第２詳細設定部１２に信号処理部６１の第２のチャンネルの内容が表示されるようになる。なお、この場合、呼び出しを指示した第２アクセススイッチ２２を押下したフェーダモジュール２６ａの論理チャンネル番号(この場合は「２」)をチャンネル番号設定部３６に表示するようにしている。
【００２６】
以上のように第１実施形態によれば、フェーダ２３の近傍に、第１アクセススイッチ２１，第２アクセススイッチ２２を設け、それらの第１アクセススイッチ２１，第２アクセススイッチ２２に対応した第１詳細設定部１１，第２詳細設定部１２を持ち、第１アクセススイッチ２１または第２アクセススイッチ２２を押すことにより、対応する詳細設定部にフェーダ１３の所属する第１または第２チャンネルの内容を表示するようにしたものであり、複数のチャンネルの設定値の比較を行いつつ、オーディオミキシング装置の設定状態の確認を行え、操作上の利便性が増すという作用を有する。
【００２７】
なお、第１実施形態において、第１詳細設定部１１，第２詳細設定部１２は、ＬＥＤ，スイッチ等における表示機能を用いて、前記効果を獲得していたが、この第１詳細設定部１１，第２詳細設定部１２を、いわゆるパーソナルコンピュータなどにおけるＣＲＴで代用することができる。この場合、さらにグラフィカルな表示を行うことができ、さらに利便性を増進させることができる。
【００２８】
次に、図１，図２，図３，図４及び図５を用いて、第２実施形態を説明する。
【００２９】
既に、第１実施形態において、特定のフェーダモジュールと、ネットワークインターフェイス部６０を介して特定チャンネルとを接続する動作を述べるとともに、特定のフェーダモジュールにおける第１アクセススイッチ２１や第２アクセススイッチ２２の操作により、第１詳細設定部１１や第２詳細設定部１２に論理的に接続するような動作ができることを示した。
【００３０】
第２実施形態は、さらにこのような論理的な接続が行われた状態で、例えば、図３の詳細設定部のイコライザ設定部３４の操作を行うとき、その操作によってＣＰＵ５６及びネットワークインターフェイス部６０を介して信号処理部６１における特定チャンネルに対して制御を行うことができるようにしたものである。
【００３１】
そのため第２実施形態によれば、フェーダ２３の近傍に、第１アクセススイッチ２１，第２アクセススイッチ２２を設け、それらの第１アクセススイッチ２１，第２アクセススイッチ２２に対応した、第１詳細設定部１１，第２詳細設定部１２を持ち、第１アクセススイッチ２１または第２アクセススイッチ２２を押すことにより、第１詳細設定部１１，第２詳細設定部１２に各フェーダ２３の所属するチャンネルの内容を論理的に接続し、さらに第１詳細設定部１１，第２詳細設定部１２における例えばイコライザ設定部３４を操作することにより、該当フェーダ２３の所属するチャンネルの内容の設定を行えるようにしたものであり、複数のチャンネルの設定値の比較を行い、かつオーディオミキシング装置の設定状態の確認を行いつつ、片方を参照しながら設定が行えるという効果を有する。
【００３２】
なお第１実施形態では、特定のインプットモジュールと、信号処理部６１内のチャンネルとの論理的結合を、２チャンネル選択ツマミ２４及びチャンネル選択確定スイッチ２５の操作により設定していたが、第２実施形態では、同様の論理的結合を詳細設定部におけるチャンネル番号設定部３６の操作によっても設定することができる。この場合、例えば、第１詳細設定部１１のチャンネル番号設定部３６において、「３」を設定すると、信号処理部６１の第３のチャンネルとの論理的結合が行われる。すなわち、第１詳細設定部１１を操作することにより、直接信号処理部６１の特定のチャンネルの設定を行えるようになる。
【００３３】
また、第２実施形態において、第１詳細設定部１１及び第２詳細設定部１２は、ＬＥＤ，スイッチ等における表示機能を用いて、上記効果を獲得していたが、この第１詳細設定部１１，第２詳細設定部１２は、いわゆるパーソナルコンピュータなどにおけるＣＲＴ及びいわゆるタッチパネルで代用することができる。この場合、さらにグラフィカルな表示を行うことができるとともに、直接画面に接触することにより、より直接的にオーディオミキシング装置の操作を行うことができ、さらに利便性を増進させることができる。
【００３４】
次に、図１，図２，図３，図４及び図５を用いて、第３実施形態を説明する。図３において、３８は第１詳細設定部１１及び第２詳細設定部１２の両方に設けられたコピー用のコピースイッチである。
【００３５】
第１詳細設定部１１において、コピースイッチ３８を押下すると、押下情報がネットワークインターフェイス部６０を通して、プロセッサ部５５に与えられる。プロセッサ部５５では、信号処理部６１のデータ設定内容を第２詳細設定部１２において論理的に結合した処理チャンネルにデータを設定するとともに、このデータがネットワークインターフェイス部６０を通して、第２詳細設定部１２に設定される。同様に逆に、第２詳細設定部１２におけるコピースイッチ３８を押下すると、上記のようなデータ設定が、信号処理部６１で行われるとともに、第１詳細設定１１にデータ設定が行われる。
【００３６】
以上のように、第３実施形態によれば、第２実施形態における第１詳細設定部１１，第２詳細設定部１２間の設定値を相互にコピーできるようにしたものであり、例えば、ステレオソースのように、複数のチャンネル間のデータの相関性が強い音源を操作する場合に、単一チャンネルの設定を行った後、データのコピーを行うことにより、さらに簡易にデータ設定の利便性を補強できるという作用を有する。
【００３７】
次に、図１，図２，図３，図４及び図５を用いて、第４実施形態を説明する。３９は、第１詳細設定部１１及び第２詳細設定部１２の両方に設けられ、設定の連動動作を指示するリンクスイッチである。
【００３８】
例えば、第１詳細設定部１１において、リンクスイッチ３９を押下すると、リンクスイッチ３９は照光を開始するとともに、押下情報がネットワークインターフェイス部６０を通して、プロセッサ部５５に与えられる。すると、プロセッサ部５５では、信号処理部６１のデータ設定内容を第２詳細設定部１２において論理的に結合した処理チャンネルに、以降データを連動して設定するようになる。しかも、このデータがネットワークインターフェイス部６０を通して、第２詳細設定部１２に設定されるようになるとともに、第２詳細設定部１２におけるリンクスイッチ３９を点灯させる。逆に、第２詳細設定部１２におけるリンクスイッチ３９を押下すると、同様に上記のようなデータ設定が、信号処理部６１で行われるとともに、第２詳細設定部１１にデータ設定が行われる。
【００３９】
このような連動設定状態は、第１詳細設定部１１もしくは第２詳細設定部１２のいずれかのリンクスイッチ３９が再押下されるまで、連動設定動作を継続するようになっている。
【００４０】
以上のように本発明の第４実施形態によれば、第３実施形態における設定パネル間の設定値を相互に連動設定できるようにしたものであり、例えば、ステレオソースのように、複数のチャンネル間のデータの相関性が強い音源を操作する場合に、連動設定状態を維持することにより、単一チャンネルの設定で複数のデータ設定を音を出しながら行うことができ、さらに簡易にデータ設定の利便性を補強できるという作用を有する。
【００４１】
【発明の効果】
以上、説明したように構成された本発明によれば、オーディオミキシング装置におけるフェーダモジュールに複数のスイッチを設け、それらスイッチに対応した、複数の設定パネルを持ち、スイッチを押すことにより、設定パネルに該当フェーダが所属するチャンネルの内容を表示させるものであり、複数のチャンネルの設定値の比較を行いつつ、オーディオミキシング装置の設定状態の確認を行え、操作上の利便性が増すという効果が得られる。
【００４２】
また、オーディオミキシング装置におけるフェーダモジュールに複数のスイッチを設け、それらのスイッチに対応した、複数の設定パネルを持ち、スイッチを押すことにより、設定パネルにフェーダが所属するチャンネルの内容を論理的に接続し、設定パネルを操作することにより、該当フェーダが所属するチャンネルの内容の設定を行えるようにしたものであり、複数のチャンネルの設定値の比較を行いつつ、片方を参照しながら、設定が行えるという効果を有する。
【００４３】
さらに、複数の設定パネル間の設定値を相互にコピーできるようにしたものであり、例えば、ステレオソースのように、複数のチャンネル間のデータの相関性が強い音源を操作する場合に、単一チャンネルの設定を行った後、データのコピーを行うことにより、さらに簡易にデータ設定の利便性を補強できるという効果を有する。
【００４４】
さらにまた、複数の設定パネル間の設定値を相互に連動設定できるようにしたものであり、例えば、ステレオソースのように、複数のチャンネル間のデータの相関性が強い音源を操作する場合に、連動設定状態を維持することにより、単一チャンネルの設定で複数のデータ設定を、音を出しながら行うことができ、さらに簡易にデータ設定の利便性を補強できるという効果を有する。
【図面の簡単な説明】
【図１】本発明の第１実施形態におけるオーディオミキシング装置の外観図
【図２】フェーダ部外観の詳細詳細図
【図３】詳細設定部の外観の詳細図
【図４】信号処理部の概略ブロック図
【図５】ハードウエアの概略ブロック図
【図６】従来のオーディオミキシング装置全体の外観概略図
【図７】従来のオーディオミキシング装置のフェーダ部の詳細概略図
【図８】従来のオーディオミキシング装置のフェーダ部の詳細設定部の外観図
【図９】従来のオーディオミキシング装置のインプット部の概略機能を示すブロック図
【符号の説明】
１１  第１詳細設定部
１２  第２詳細設定部
１３  フェーダ部
２１  第１アクセススイッチ
２２  第２アクセススイッチ
２３，４５  フェーダ
２４  ２チャンネル選択ツマミ
２５  チャンネル選択確定スイッチ
２６ａ〜２６ｈ  フェーダモジュール
３１  Ａ／Ｄ設定部
３２  ディレイ設定部
３３  ダイナミクス設定部
３４  イコライザ設定部
３５  バス送出設定部
３６  チャンネル番号設定部
３７  データ設定部
４１  Ａ／Ｄ処理部
４２  インプットパッチ（選択）部
４３  イコライザ部
４４  ダイナミクス部／ディレイ部
４６  ミキシング部
５２  フェーダユニット
５３  第１チャンネル制御部
５４  第２チャンネル制御部
５５  プロセッサ部
５６  ＣＰＵ
５７  Ｉ／Ｏポート部
５８  パネルスイッチ及び表示部
５９  メモリ部
６０  ネットワークインターフェイス部
６１  信号処理部
【図１】
0004180136.tif 000002
【図２】
0004180136.tif 000003
【図３】
0004180136.tif 000004
【図４】
0004180136.tif 000005
【図５】
0004180136.tif 000006
【図６】
0004180136.tif 000007
【図７】
0004180136.tif 000008
【図８】
0004180136.tif 000009
【図９】
0004180136.tif 000010